(57)【特許請求の範囲】
【請求項１】
樹木の所要高さ位置にロープを掛着するための樹木用ロープ取付具において、
ポールと、該ポールの上端部に設けられロープが掛けられて支承される上開放の凹所を有した支承部と、上記ポールの上端部に設けられ下方に突出してロープを引っ掛け可能なフックと、上記ポールの上端部に設けられ先端が鋭利状に形成されて樹木に対して打ち込まれる爪部材とを備えたことを特徴とする樹木用ロープ取付具。
【請求項２】
上記ポールに冠着される上端が閉じた筒状部材を設け、該筒状部材に上記支承部，フック及び爪部材を設けたことを特徴とする請求項１記載の樹木用ロープ取付具。
【請求項３】
上記爪部材を上記筒状部材に対して着脱可能に設けたことを特徴とする請求項２記載の樹木用ロープ取付具。
【請求項４】
上記爪部材をロッド状の本体を備えて構成し、該本体の先端部を鋭利状に形成し、該本体の基端部に雄ネジを形成し、該雄ネジの先端側に鍔部を設け、上記筒状部材に上記基端部が挿通され上記鍔部が非挿通の挿通孔を形成し、上記本体の基端部を上記挿通孔に挿通し、該基端部の雄ネジにナットを螺合して該基端部を上記筒状部材に止着することを特徴とする請求項３記載の樹木用ロープ取付具。
【請求項５】
上記支承部を、ロッドを略Ｕ字状に折曲形成して底部の左右に２条の立設部を有した形状に形成し、上記支承部の底部を上記筒状部材の上端に固着したことを特徴とする請求項２乃至４何れかに記載の樹木用ロープ取付具。
【請求項６】
上記フックの基端を上記支承部の一方の立設部に固着したことを特徴とする請求項５記載の樹木用ロープ取付具。
【発明の詳細な説明】
【技術分野】
【０００１】
本発明は、樹木を伐採する際に用いられ、作業者が樹木に登ることなく樹木の所要高さ位置にロープを掛着するための樹木用ロープ取付具に係り、特に、伐採された樹木を所定方向に倒すためのロープを樹木に掛着する樹木用ロープ取付具に関する。
【背景技術】
【０００２】
従来、この種の樹木用ロープ取付具としては、例えば、特許文献１（特開２００６−２３８８０７号公報）に記載されたものが知られている。
図６に示すように、この樹木用ロープ取付具Ｓａは、ポール１００と、ポール１００の上端部に設けられるロープガイド１１０と、ロープガイド１１０の基端付近のポール上に設けられ上向きＹ字状に二股に分岐した分岐金具１２０と、ポール１００の上端部に設けられ下方に突出してロープＬを引っ掛け可能なフック１３０とを備えて構成されている。また、ロープＬには、その先端側に錘と係合部とを兼ね備えた先端金具１４０が取り付けられている。
【０００３】
ロープガイド１１０は、ポール１００の上端部からポール１００の軸線に対して所定の角度をもって延出し、樹木の幹を半周以上包囲できるように屈曲して終結し、且つポール１００の下端側から延びるロープＬの先端側を屈曲に沿って保持するロープ保持部１１１を備えて構成されている。このロープ保持部１１１は、ロープＬをロープガイド１１０から上方へ容易に離脱させることができるように上方へ開放している。
フック１３０は、ロープガイド１１０から離脱して樹木の幹に掛け回されたロープＬの先端側に取り付けられた先端金具１４０の係合部に係合させてロープＬを引き下ろすことができるようにポール１００から突出している。
【０００４】
この樹木用ロープ取付具Ｓａを用いて、樹木にロープＬを掛着させるときは、図６（Ａ）に示すように、ロープガイド１１０のロープ保持部１１１にロープＬを保持させ、ポール１００の下端部を作業者が持ってロープガイド１１０を樹木の所要高さ位置に掛け回す。このとき、樹木の幹と枝の基端部との間にロープガイド１１０が載置されるように掛け回す。そして、作業者がポール１００を軸周りに回転するように操作すると、ロープＬがロープガイド１１０の開放した部分から抜けて離脱し、ロープＬは樹木の幹と枝の基端部との間に掛けられた状態で保持される。その後、図６（Ｂ）に示すように、ロープＬの先端金具１４０にフック１３０を引っ掛けてロープＬの先端を作業者の手元まで引き寄せ、ロープＬで樹木を巻回するようにループを形成して樹木にロープＬを掛着する。
【先行技術文献】
【特許文献】
【０００５】
【特許文献１】特開２００６−２３８８０７号公報
【発明の概要】
【発明が解決しようとする課題】
【０００６】
しかしながら、この従来の樹木用ロープ取付具Ｓａにあっては、枝のある樹木や樹木の枝のある箇所にロープＬを掛着させるときは良いが、枝のない樹木や樹木の枝のない箇所にロープＬを掛着しようとするときには、ロープＬをロープガイド１１０から離脱させて樹木に掛け回す際に、作業者がポール１００を軸周りに回転するように操作しなければならないので、作業者はポール１００を把持していなければならず、そのため、ロープＬがロープガイド１１０から離脱したとき、枝がないのでロープＬを所要高さ位置で保持できずに、ロープＬが所要高さ位置からずれてしまうという問題が生じる。また、ロープＬをロープガイド１１０から離脱させる際に作業者がロープＬを把持するようにすると、ロープガイド１１０は樹木の所要高さ位置に掛け回されているだけなので、枝がないとロープガイド１１０を樹木の所要高さ位置で保持できず、ロープＬが所要高さ位置からずれてしまい、そのため、ロープＬを樹木の所要高さ位置に掛着させることが困難になる。即ち、枝のない樹木や樹木の枝のない箇所にロープＬを掛着しようとするときには、ロープＬやロープガイド１１０を引っ掛けておく場所がないので、ロープＬを樹木の所要高さ位置に掛着させることが困難となり、そのため、ロープＬを掛着できる樹木の態様が限定されてしまうという問題があった。
【０００７】
本発明は、このような問題点に鑑みてなされたもので、樹木がどのような態様であってもロープを樹木の所要高さ位置で確実に保持して掛着させることができるようにした樹木用ロープ取付具を提供することを目的とする。
【課題を解決するための手段】
【０００８】
このような目的を達成するため、本発明の樹木用ロープ取付具は、樹木の所要高さ位置にロープを掛着するための樹木用ロープ取付具において、ポールと、該ポールの上端部に設けられロープが掛けられて支承される上開放の凹所を有した支承部と、上記ポールの上端部に設けられ下方に突出してロープを引っ掛け可能なフックと、上記ポールの上端部に設けられ先端が鋭利状に形成されて樹木に対して打ち込まれる爪部材とを備えた構成としている。
【０００９】
これにより、樹木用ロープ取付具を用いて、枝のない樹木や樹木の枝のない箇所にロープを掛着させるときは、作業者の手元に一端部及び他端部が位置するように支承部の凹所にロープを掛け、作業者がポールの下端部を把持してポールの上端部を樹木の所要高さ位置に位置させ、爪部材を樹木の幹に打ち込んでポールの上端部を樹木の所要高さ位置で保持させる。この状態で、作業者がロープの一端部及び他端部を把持し、支承部の凹所からロープを抜いて樹木に引っ掛ける。その後、ロープで樹木を巻回するようにループを形成して樹木にロープを掛着する。
【００１０】
この場合、爪部材を樹木の幹に打ち込むので、作業者がポールを把持していなくてもポールの上端部を確実に樹木の所要高さ位置に位置させておくことができ、そのため、作業者がロープを把持して樹木に引っ掛けることができるので、ロープを樹木に引っ掛ける際に、ロープが所要高さ位置からずれることを防止して、ロープを樹木の所要高さ位置で確実に保持させることができる。即ち、爪部材を樹木の幹に打ち込むので、枝のない樹木であってもポールの上端部を確実に樹木の所要高さ位置に位置させておくことができ、そのため、ロープを樹木の所要高さ位置に確実に保持して掛着させることができる。
【００１１】
また、枝のある樹木にロープを掛着させるときは、例えば、ロープの一端部または他端部にリングを形成し、リングが形成された側が支承部から短くなるようにロープの長さを偏らせて凹所に掛け、作業者がポールの下端部を把持してポールの上端部を樹木の所要高さ位置に位置させ、ロープのリングが形成された側を枝の反対側に向けて通過させて枝を跨がせ、ロープを樹木の幹と枝の基端部との間に引っ掛けて保持させる。ロープが所要高さ位置で保持されたならば、ポールを樹木から離間させ、この状態で、高所に位置するロープのリングにフックを引っ掛けてロープを作業者の手元まで引き寄せる。これによって、ロープの一端部及び他端部が作業者の手元に位置するようになる。その後、ロープで樹木を巻回するようにループを形成して樹木にロープを掛着する。
【００１２】
即ち、本取付具は、枝のある樹木の場合であっても、枝のない樹木の場合であっても、ロープを樹木の所要高さ位置に掛着させることができ、そのため、樹木がどのような態様であってもロープを樹木の所要高さ位置で確実に保持して掛着させることができる。
【００１３】
また、ロープを樹木の幹に掛着させた後、樹木を伐採する際は、ロープの一端部及び他端部を、例えば既に伐採した後の樹木の切り株等に取り付け、この状態で、例えばチェーンソー等により樹木の幹を切断していく。これによって、樹木の幹はロープに引っ張られて一定方向に切り倒されるようになるので、樹木の伐採を安全に行なうことができる。
【００１４】
更に、本取付具では、ロープを樹木の枝に掛着させることも可能であり、樹木の枝を伐採する際にも使用することができる。
この場合、例えば、ロープの一端部及び他端部にリングを形成し、支承部を中心にロープの長さを同一にして凹所に掛け、作業者がポールの下端部を把持してポールの上端部を樹木の所要高さ位置に位置させ、ロープが枝を跨いで枝に載置されるようにしてロープを枝に保持させる。このとき、ロープの一端部及び他端部が高所に位置するようにロープを予め短めに設定しておく。ロープが所要高さ位置で保持されたならば、ポールを樹木から離間させ、この状態で、一端部または他端部のいずれか一方に形成されたリングにフックを引っ掛けて引張し、一端部または他端部のいずれか他方に形成されたリングを通過させる。これによって、ロープで樹木の枝を巻回するようにループを形成して枝にロープを掛着することができる。
即ち、樹木の幹だけでなく、枝を伐採する際にも使用することができるので、より一層汎用性が向上する。
【００１５】
そして、必要に応じ、上記ポールに冠着される上端が閉じた筒状部材を設け、該筒状部材に上記支承部，フック及び爪部材を設けた構成としている。
これにより、筒状部材をポールに対して着脱可能にすることができるので、どのような長さのポールであっても筒状部材を取り付けることができる。即ち、樹木の所要高さ位置によって、ポールの長さを選択して、このポールに筒状部材を取り付けることにより、容易に所要高さ位置に支承部，フック及び爪部材を位置させることができる。
【００１６】
また、必要に応じ、上記爪部材を上記筒状部材に対して着脱可能に設けた構成としている。
これにより、例えば樹木の枝を伐採するとき等、爪部材を樹木に打ち込む必要がない場合には、爪部材を筒状部材から取り外すことができる。従って、例えば、樹木の枝を伐採するときに、ロープの一端部及び他端部にリングを形成して樹木の高所にロープを保持させ、ロープの一端部または他端部のいずれか一方に形成されたリングにフックを引っ掛けて引張してロープの一端部または他端部のいずれか他方に形成されたリングを通過させる場合には、筒状部材をロープのリングを通過させなければならないので、筒状部材から突出している爪部材がリングに引っ掛りやすくなるが、爪部材を取り外すことができるので爪部材が邪魔にならない。
【００１７】
更に、必要に応じ、上記爪部材をロッド状の本体を備えて構成し、該本体の先端部を鋭利状に形成し、該本体の基端部に雄ネジを形成し、該雄ネジの先端側に鍔部を設け、上記筒状部材に上記基端部が挿通され上記鍔部が非挿通の挿通孔を形成し、上記本体の基端部を上記挿通孔に挿通し、該基端部の雄ネジにナットを螺合して該基端部を上記筒状部材に止着する構成としている。
【００１８】
これにより、爪部材を筒状部材に取り付けるときは、本体の基端部から挿通孔に挿通し、基端部の雄ネジにナットを螺合して筒状部材に止着する。このとき、雄ネジの先端側には挿通孔に非挿通の鍔部が設けられているので、本体を挿通孔に挿通しても鍔部によって本体の先端部は筒状部材から確実に突出するようになる。また、爪部材を筒状部材から取り外すときは、ナットを雄ネジから螺合解除することにより行なう。即ち、雄ネジとナットとの螺合，螺合解除によって爪部材を筒状部材に対して着脱することができるので、爪部材の着脱を容易に行なうことができる。
【００１９】
更にまた、必要に応じ、上記支承部を、ロッドを略Ｕ字状に折曲形成して底部の左右に２条の立設部を有した形状に形成し、上記支承部の底部を上記筒状部材の上端に固着した構成としている。
これにより、ロッドを略Ｕ字状に折曲形成して支承部を形成したので、支承部を比較的簡易に構成することができる。また、支承部を筒状部材の上端に固着したので、ポールの軸線近傍にロープが位置するようになり、そのため、ロープを樹木の所要高さ位置に位置させやすくなる。
【００２０】
そして、また、必要に応じ、上記フックの基端を上記支承部の一方の立設部に固着した構成としている。
これにより、フックを筒状部材に設けた場合と比較して、フックと爪部材、特にナットとの距離が離間させられるので、爪部材がフックの開放部分を塞ぐことが防止され、そのため、フックの機能を確実に発揮させることができる。
【発明の効果】
【００２１】
本発明の樹木用ロープ取付具によれば、枝のない樹木や樹木の枝のない箇所にロープを掛着させるときは、爪部材を樹木の幹に打ち込んでポールの上端部を樹木の所要高さ位置で保持させ、作業者がロープの一端部及び他端部を把持して支承部からロープを抜いて樹木に引っ掛け、ロープで樹木を巻回するようにループを形成して掛着する。この場合、爪部材を樹木の幹に打ち込むので、作業者がポールを把持していなくてもポールの上端部を確実に樹木の所要高さ位置に位置させておくことができ、そのため、作業者がロープを把持して樹木に引っ掛けることができるので、ロープを樹木に引っ掛ける際に、ロープが所要高さ位置からずれることを防止して、ロープを樹木の所要高さ位置で確実に保持させることができる。即ち、爪部材を樹木の幹に打ち込むので、枝のない樹木であってもポールの上端部を確実に樹木の所要高さ位置に位置させておくことができ、そのため、ロープを樹木の所要高さ位置に確実に保持して掛着させることができる。
【００２２】
また、枝のある樹木にもロープを掛着させることができるとともに、樹木の枝にもロープを掛着させることができる。即ち、本取付具は、枝のある樹木の場合であっても、枝のない樹木の場合であっても、ロープを樹木の所要高さ位置に掛着させることができ、そのため、樹木がどのような態様であってもロープを樹木の所要高さ位置で確実に保持して掛着させることができる。また、樹木の幹だけでなく、枝を伐採する際にも使用することができるので、より一層汎用性が向上する。
【図面の簡単な説明】
【００２３】
【図１】本発明の実施の形態に係る樹木用ロープ取付具を示す斜視図である。
【図２】本発明の実施の形態に係る樹木用ロープ取付具を示し、（Ａ）は正面一部断面図、（Ｂ）は側面一部断面図である。
【図３】本発明の実施の形態に係る樹木用ロープ取付具を用いて、枝のない樹木の幹にロープを掛着させる際の掛着方法を示す図である。
【図４】本発明の実施の形態に係る樹木用ロープ取付具を用いて、枝のある樹木の幹にロープを掛着させる際の掛着方法を示す図である。
【図５】本発明の実施の形態に係る樹木用ロープ取付具を用いて、樹木の枝にロープを掛着させる際の掛着方法を示す図である。
【図６】従来の樹木用ロープ取付具の一例を示す図である。
【発明を実施するための形態】
【００２４】
以下、添付図面に基づいて本発明の実施の形態に係る樹木用ロープ取付具を説明する。
図１乃至図５には、本発明の実施の形態に係る樹木用ロープ取付具Ｓを示している。本発明の樹木用ロープ取付具Ｓは、樹木Ｗの所要高さ位置にロープＲを掛着するためのものであり、ポール１と、ポール１の上端部２に設けられロープＲが掛けられて支承される上開放の凹所２１を有した支承部２０と、ポール１の上端部２に設けられ下方に突出してロープＲを引っ掛け可能なフック３０と、ポール１の上端部２に設けられ先端が鋭利状に形成されて樹木Ｗに対して打ち込まれる爪部材４０とを備えて構成されている。また、本樹木用ロープ取付具Ｓは、ポール１に冠着される上端１１が閉じた筒状部材１０を備えており、この筒状部材１０に、支承部２０，フック３０及び爪部材４０が設けられている。
【００２５】
ポール１は、金属製で円筒状に形成されており、樹木Ｗの所要高さに対応して、長さを異ならせて複数本用意されている。このポール１の側壁３には、その軸線に直交する方向の軸線を有した対向する一対の貫通孔４が形成されている。
筒状部材１０は、ポール１の上端部２に冠着される金属製で円筒状に形成されており、上端１１が閉じたカップ状に形成されている。この筒状部材１０の側壁１２には、その軸線に直交する方向の軸線を有した対向する一対の貫通孔１３が形成されている。この貫通孔１３はポール１の貫通孔４に対応する位置に形成されている。
【００２６】
この筒状部材１０は、ポール１に対して着脱可能に設けられている。詳しくは、ポール１の貫通孔４及び筒状部材１０の貫通孔１３に挿通される雄ネジ１４ａを有したボルト１４と、ボルト１４の雄ネジ１４ａに螺合されるナット１５とを備え、筒状部材１０をポール１の上端部２に被せ、筒状部材１０の貫通孔１３をポール１の貫通孔４に対応させて、ボルト１４をポール１の貫通孔４及び筒状部材１０の貫通孔１３に挿通し、ボルト１４の雄ネジ１４ａにナット１５を螺合させることにより筒状部材１０をポール１に取り付けている。取り外すときは、ナット１５をボルト１４から螺合解除させることにより行なう。
【００２７】
支承部２０は、金属製のロッド２２を略Ｕ字状に折曲形成して底部２３の左右に２条の立設部２４を有した形状に形成されている。この支承部２０は、その底部２３が筒状部材１０の上端１１に溶接されて固着されている。また、この支承部２０はポール１と同軸になるように筒状部材１０に設けられている。
【００２８】
フック３０は、金属製であり、その基端３１が支承部２０の一方の立設部２４に溶接されて固着されている。このフック３０は、ポール１の軸線に直交する方向であって一方の立設部２４から見て他方の立設部２４とは反対方向に突出し、中間部３２が折曲して先端３３側が下方に延びて形成されている。また、このフック３０は、その基端３１が一方の立設部２４の上端２４ａ近傍に固着されている。
【００２９】
爪部材４０は、金属製でロッド状の本体４１を備えて構成されている。この本体４１は、その先端部４１ａが鋭利状に形成されているとともに、基端部４１ｂに雄ネジ４２が形成されている。また、この爪部材４０は、雄ネジ４２の先端４２ａ側に鍔部４３が設けられている。更に、この爪部材４０は、本体４１の雄ネジ４２に螺合するナット４４を備えて構成されている。
【００３０】
また、爪部材４０は筒状部材１０に対して着脱可能に設けられている。詳しくは、筒状部材１０には爪部材４０の本体４１の基端部４１ｂが挿通され鍔部４３が非挿通の挿通孔１６が形成されており、爪部材４０を筒状部材１０に取り付けるときは、本体４１の基端部４１ｂを挿通孔１６に挿通し、基端部４１ｂの雄ネジ４２にナット４４を螺合することにより基端部４１ｂを筒状部材１０に止着している。このとき、雄ネジ４２の先端４２ａ側には挿通孔１６に非挿通の鍔部４３が設けられているので、本体４１を挿通孔１６に挿通しても鍔部４３によって本体４１の先端部４１ａは筒状部材１０から確実に突出するようになる。また、爪部材４０を筒状部材１０から取り外すときは、ナット４４を雄ネジ４２から螺合解除することにより行なう。即ち、雄ネジ４２とナット４４との螺合，螺合解除によって爪部材４０を筒状部材１０に対して着脱することができるので、爪部材４０の着脱を容易に行なうことができる。
【００３１】
従って、この実施の形態に係る樹木用ロープ取付具Ｓを用いて、枝のない樹木Ｗの幹Ｗａや樹木Ｗの枝のない幹Ｗａの箇所にロープＲを掛着させるときは、樹木Ｗの所要高さ位置に適した長さのポール１を選択し、このポール１の上端部２に筒状部材１０を取り付け、作業者Ｍの手元に一端部Ｒａ及び他端部Ｒｂが位置するように支承部２０の凹所２１にロープＲを掛け、図３（Ａ）に示すように、作業者Ｍがポール１の下端部５を把持して筒状部材１０を樹木Ｗの所要高さ位置に位置させ、爪部材４０を樹木Ｗの幹Ｗａに打ち込んでポール１の上端部２を樹木Ｗの所要高さ位置で保持させる。この状態で、図３（Ｂ）に示すように、ロープＲの一端部Ｒａまたは他端部Ｒｂのいずれか一方にリングを形成し、作業者ＭがロープＲの一端部Ｒａ及び他端部Ｒｂを把持して支承部２０の凹所２１からロープＲを抜いて樹木Ｗに引っ掛ける。そして、図３（Ｃ）に示すように、ロープＲの一端部Ｒａまたは他端部Ｒｂのいずれか他方をリングに挿通し、ロープＲの一端部Ｒａまたは他端部Ｒｂのいずれか他方を引張してリングを上昇させ、図３（Ｄ）に示すように、ロープＲで樹木Ｗを巻回するようにループを形成して樹木ＷにロープＲを掛着する。
【００３２】
そして、ロープＲを樹木Ｗの幹Ｗａに掛着させた後に樹木Ｗの幹Ｗａを伐採する際は、図３（Ｅ）に示すように、樹木ＷにロープＲを掛着させた状態で、爪部材４０を樹木Ｗから抜き取り、本樹木用ロープ取付具Ｓを樹木Ｗから離間させる。その後、図３（Ｆ）に示すように、ロープＲの一端部Ｒａまたは他端部Ｒｂのいずれか他方を、例えば既に伐採した後の樹木Ｗの切り株等に取り付け、この状態で、例えばチェーンソーＣ等により樹木Ｗの幹Ｗａを切断していく。これによって、樹木Ｗの幹ＷａはロープＲに引っ張られて一定方向に切り倒されるようになるので、樹木Ｗの伐採を安全に行なうことができる。
【００３３】
この場合、爪部材４０を樹木Ｗの幹Ｗａに打ち込むので、作業者Ｍがポール１を把持していなくてもポール１の上端部２を確実に樹木Ｗの所要高さ位置に位置させておくことができ、そのため、作業者ＭがロープＲを把持して樹木Ｗに引っ掛けることができるので、ロープＲを樹木Ｗに引っ掛ける際に、ロープＲが所要高さ位置からずれることを防止して、ロープＲを樹木Ｗの所要高さ位置で確実に保持させることができる。即ち、爪部材４０を樹木Ｗの幹Ｗａに打ち込むので、枝のない樹木Ｗであってもポール１の上端部２を確実に樹木Ｗの所要高さ位置に位置させておくことができ、そのため、ロープＲを樹木Ｗの所要高さ位置に確実に保持して掛着させることができる。
【００３４】
また、枝Ｗｂのある樹木ＷにロープＲを掛着させるときは、本樹木用ロープ取付具Ｓとともに錘体５０を用いる。この錘体５０は、支承部２０に掛けられるとともにロープＲの一端部Ｒａが取り付けられる一方リング部５１と、一端に一方リング部５１が取り付けられる所定重量の錘部５２と、錘部５２の他端に取り付けられフック３０が引っ掛けられる他方リング部５３とを備えて構成されている。
尚、本実施の形態では錘体５０を用いて樹木ＷにロープＲを掛着させる場合について説明するが、必ずしも錘体５０を用いる必要はない。
【００３５】
樹木Ｗの所要高さ位置に適した長さのポール１を選択し、このポール１の上端部２に筒状部材１０を取り付け、ロープＲの一端部Ｒａを錘体５０の一方リング部５１に取り付けるとともに、この一方リング部５１を支承部２０の凹所２１に掛け、図４（Ａ）に示すように、作業者Ｍがポール１の下端部５を把持して筒状部材１０を樹木Ｗの所要高さ位置に位置させ、図４（Ｂ）に示すように、錘体５０を樹木Ｗの幹Ｗａと枝Ｗｂの基端部との間から樹木Ｗの反対側に向けて通過させて、錘体５０を樹木Ｗの幹Ｗａと枝Ｗｂの基端部との間に載置させて保持させる。そして、支承部２０を一方リング部５１から抜き取り、本樹木用ロープ取付具Ｓを樹木Ｗから離間させ、図４（Ｃ）に示すように、錘体５０の他方リング部５３にフック３０を引っ掛けてロープＲを作業者Ｍの手元まで引き寄せる。これによって、ロープＲの一端部Ｒａ及び他端部Ｒｂが作業者Ｍの手元に位置するようになる。それから、図４（Ｄ）に示すように、ロープＲの一端部Ｒａを錘体５０の一方リング部５１から取り外し、ロープＲの一端部Ｒａまたは他端部Ｒｂのいずれか一方にリングを形成する。その後、図４（Ｅ）に示すように、ロープＲの一端部Ｒａまたは他端部Ｒｂのいずれか他方をリングに挿通し、これを引張してリングを上昇させ、ロープＲで樹木Ｗを巻回するようにループを形成して樹木ＷにロープＲを掛着する。
【００３６】
そして、ロープＲを樹木Ｗの幹Ｗａに掛着させた後に樹木Ｗの幹Ｗａを伐採する際は、図４（Ｆ）に示すように、ロープＲの一端部Ｒａまたは他端部Ｒｂのいずれか他方を、例えば既に伐採した後の樹木Ｗの切り株等に取り付け、この状態で、例えばチェーンソーＣ等により樹木Ｗの幹Ｗａを切断していく。これによって、樹木Ｗの幹ＷａはロープＲに引っ張られて一定方向に切り倒されるようになるので、樹木Ｗの伐採を安全に行なうことができる。
【００３７】
更に、樹木Ｗの枝ＷｂにロープＲを掛着させるときは、ロープＲを樹木Ｗの枝Ｗｂに引っ掛けたときにロープＲの一端部Ｒａ及び他端部Ｒｂが高所に位置するようにロープＲを予め短めに設定しておくとともに、爪部材４０を筒状部材１０から予め取り外しておく。
【００３８】
そして、樹木Ｗの所要高さ位置に適した長さのポール１を選択し、このポール１の上端部２に爪部材４０を取り外した筒状部材１０を取り付け、ロープＲの一端部Ｒａ及び他端部Ｒｂにリングを形成し、支承部２０を中心にロープＲの長さを同一にして凹所２１に掛け、図５（Ａ）に示すように、作業者Ｍがポール１の下端部５を把持して筒状部材１０を樹木Ｗの所要高さ位置に位置させ、図５（Ｂ）に示すように、支承部２０を枝Ｗｂより高い位置に位置させてロープＲを枝Ｗｂに跨がせ、それから支承部２０を下げていき、ロープＲを枝Ｗｂに引っ掛けさせて保持させる。この状態では、支承部２０からロープＲが抜け出た状態となる。それから、図５（Ｃ）に示すように、ロープＲの一端部Ｒａまたは他端部Ｒｂのいずれか一方に形成されたリングにフック３０を引っ掛けて引張し、図５（Ｄ）に示すように、ロープＲの一端部Ｒａまたは他端部Ｒｂのいずれか他方に形成されたリングを通過させる。これによって、ロープＲで樹木Ｗの枝Ｗｂを巻回するようにループを形成して枝ＷｂにロープＲを掛着する。
【００３９】
そして、ロープＲを樹木Ｗの枝Ｗｂに掛着させた後に樹木Ｗの枝Ｗｂを伐採する際は、図５（Ｅ）に示すように、ロープＲの一端部Ｒａまたは他端部Ｒｂのいずれか一方に形成されたリングを、例えば図示しないクレーン等で引っ張り、この状態で、例えばチェーンソーＣ等により樹木Ｗの枝Ｗｂの基端部を切断していく。これによって、樹木Ｗの枝ＷｂはロープＲに引っ張られて一定方向に切り倒されるようになるので、樹木Ｗの伐採を安全に行なうことができる。
【００４０】
この場合、ロープＲの一端部Ｒａまたは他端部Ｒｂのいずれか一方に形成されたリングにフック３０を引っ掛けて引張してロープＲの一端部Ｒａまたは他端部Ｒｂのいずれか他方に形成されたリングを通過させるときに、筒状部材１０をロープＲのリングを通過させなければならないので、筒状部材１０から突出している爪部材４０がリングに引っ掛りやすくなるが、爪部材４０を予め取り外すことができるので爪部材４０が邪魔にならない。即ち、爪部材４０を樹木Ｗに打ち込む必要がない場合には、爪部材４０を筒状部材１０から取り外すことができるので、利便性が向上する。
【００４１】
即ち、本樹木用ロープ取付具Ｓは、枝Ｗｂのある樹木Ｗの場合であっても、枝Ｗｂのない樹木Ｗの場合であっても、ロープＲを樹木Ｗの所要高さ位置に掛着させることができ、そのため、樹木Ｗがどのような態様であってもロープＲを樹木Ｗの所要高さ位置で確実に保持して掛着させることができる。また、樹木Ｗの幹Ｗａだけでなく、枝Ｗｂを伐採する際にも使用することができるので、より一層汎用性が向上する。
【００４２】
また、筒状部材１０をポール１に対して着脱可能にすることができるので、どのような長さのポール１であっても筒状部材１０を取り付けることができる。即ち、樹木Ｗの所要高さ位置によって、ポール１の長さを選択して、このポール１に筒状部材１０を取り付けることにより、容易に所要高さ位置に支承部２０，フック３０及び爪部材４０を位置させることができる。
【００４３】
更に、ロッド２２を略Ｕ字状に折曲形成して支承部２０を形成したので、支承部２０を比較的簡易に構成することができる。また、支承部２０を筒状部材１０の上端１１に固着したので、ポール１の軸線近傍にロープＲが位置するようになり、そのため、ロープＲを樹木Ｗの所要高さ位置に位置させやすくなる。
【００４４】
更にまた、フック３０を筒状部材１０に設けた場合と比較して、フック３０と爪部材４０、特にナット４４との距離が離間させられるので、爪部材４０がフック３０の開放部分を塞ぐことが防止され、そのため、フック３０の機能を確実に発揮させることができる。
【００４５】
尚、上記実施の形態において、支承部２０，フック３０及び爪部材４０を筒状部材１０に設けて構成したが、必ずしもこれに限定されるものではなく、支承部２０，フック３０及び爪部材４０をポール１の上端部２に直接設けても良く、適宜変更して差支えない。
また、上記実施の形態において、フック３０を、その基端３１を一方の立設部２４の上端２４ａ近傍に固着して設けたが、必ずしもこれに限定されるものではなく、筒状部材１０に設けても良く、適宜変更して差支えない。
更に、上記実施の形態において、筒状部材１０を円筒状に形成したが、必ずしもこれに限定されるものではなく、例えば角柱状等であっても良く、適宜変更して差支えない。また、筒状部材１０の軸線方向への長さは、ポール１よりも短ければ良く、特に限定されるものではない。
【符号の説明】
【００４６】
Ｓ  樹木用ロープ取付具
Ｗ  樹木
Ｒ  ロープ
Ｍ  作業者
Ｃ  チェーンソー
１  ポール
２  上端部
３  側壁
４  貫通孔
５  下端部
１０  筒状部材
１１  上端
１２  側壁
１３  貫通孔
１４  ボルト
１５  ナット
１６  挿通孔
２０  支承部
２１  凹所
２２  ロッド
２３  底部
２４  立設部
３０  フック
３１  基端
３２  中間部
３３  先端
４０  爪部材
４１  本体
４２  雄ネジ
４３  鍔部
４４  ナット
５０  錘体
５１  一方リング部
５２  錘部
５３  他方リング部
【図１】
0005634887.tif 000002
【図２】
0005634887.tif 000003
【図３】
0005634887.tif 000004
【図４】
0005634887.tif 000005
【図５】
0005634887.tif 000006
【図６】
0005634887.tif 000007